【事件の表示】
　特願２０００−３３１６８４「携帯型画像入出力装置」拒絶査定不服審判事件〔平成１３年　７月１０日出願公開、特開２００１−１８８６３１〕について、次のとおり審決する。
【結　論】
　本件審判の請求は、成り立たない。
【理　由】
【１】本願発明
　本願は、平成3年3月26日に特許出願した特願平3-60739号の一部を新たな特許出願（平成12年10月31日出願、特願2000-331684号）としたものであって、その請求項1〜5に係る発明は、平成12年11月2日付け全文補正明細書、平成14年6月24日付け及び平成15年2月5日付け手続補正書によって補正された明細書の特許請求の範囲に記載されたとおりのものであって、当該請求項1に係る発明は、次のとおりのものである。
「【請求項１】　ICカードの挿入部と、該挿入部にセットされたICカードに情報を記録するICカード記録部と、ズーム操作部及びシャッターを備えた電子スチルカメラと、該電子スチルカメラが撮影する画像
と前記ICカードの情報と
　前記電子スチルカメラが撮影中の場合には撮影中を示す表示が前記ディスプレイに表示され
るようにプログラムされ、前記ディスプレイが前記ICカードの画像を入力中の場合にはICカードからの入力による画像であることを示す表示が前記ディスプレイに表示されるようにプログラムされていることと、
　前記電子スチルカメラが撮影する画像を前記ズーム操作部の操作に応じてズーム調整して前記ディスプレイに表示し、前記シャッターの操作に応答して前記ディスプレイに表示されている画像を前記挿入部にセットされたICカードに記録することを特徴とする携帯型画像入出力装置。」
　
【２】引用刊行物
　原査定の拒絶の理由に引用された特開平2-172382号公報（以下「引用例」という。）には、その実施例と図面及びこれに係わる記載を参酌すると、以下のような技術的事項が記載されている。
（イ）「第1図は本発明を適用した電子スチルカメラ10の背面斜視図である。この電子スチルカメラ10の外形形状は、ほぼ従来の一眼レフカメラと同様に形成されており、外観としては、直方体形状のカメラ本体11と、前面側に突出した円筒状のレンズ部12とからなっている。カメラ本体11には、頂面に設けられていて、シャッターとして機能するレリーズスイッチ13と、背面に設けられていて、被写体を視るためのファインダ14、動作モード等を指定するキー入力部15及び撮影画像等を表示する液晶表示パネル16と、その側部に設けられていて、撮影したスチル画像情報が例えば50枚磁気記録される磁気記録媒体としての磁気シート（フロッピーディスク）を含むジャケット筐体すなわちFD17及び撮影したスチル画像情報が例えば10枚記憶される半導体メモリを備えたICカード18をそれぞれ収納するための磁気記録装置部19とが設けられている。
　図面からも見られるように、FD17及びICカード18はカメラに着脱可能な単体のユニットとして構成され、このため磁気記録装置部19には、FD17及びICカード18の着脱に際して開かれる2つのカバー20、21が前後に設けられている。これらのカバー20、21が開かれた場合にFDの挿入開口19aとICカードの挿入開口19bとが上側で露出されるようになっている。
　第2図は、上記第1図の電子スチルカメラ10の全体回路構成を示している。同図において31は光学系で、レンズ部12、シャッター32、CCD（Charge Coupled Device）などの撮像素子33等により構成され、オートフォーカス機構及びEE機構により、ピント、露出等が自動的に合わせられられられるようになっている。また、34はシャッター制御回路で、レリーズスイッチ13の操作に応じてシャッター32を制御する。上記レリーズスイッチ13は、信号ライン36a、36bによりシャッター制御回路34に接続しており、レリーズスイッチ13に人の指が触れると（軽く押すと）信号ライン36aを介してタッチ信号をシャッター制御回路34に送り、レリーズスイッチ13が押されると信号ライン36bを介してON信号をシャッター制御回路34に出力する。このシャッター制御回路34は、レリーズスイッチ13からタッチ信号が送られてくるとスタンバイモードとなり、オートフォーカス、EE機構によりピント及び露出を決定する共に、例えば1／60秒の間隔でシャッター32を動作させる。
　そして、上記シャッター32の動作に伴い、被写体像がレンズ部12及びシャッター32を介して撮像素子33の面に結像され、撮像素子33から被写体像に対する信号、つまり、撮像信号が信号処理回路37へ送られる。上記撮像素子33は、例えば光電変換半導体セルを多数個配列して構成され、これらセルを信号処理回路37が順次走査することにより、一般のテレビジョン信号に準じたビデオ信号、つまり、輝度信号Y及び色差信号R−Y、B−Yを得ている。この信号処理回路37から出力される画像信号は、信号ラインaを介して表示制御回路38へ送られ、また、スイッチSW1を介して変調回路39へ送られると共にスイッチSW2を介してA／D変換回路41へ送られる。上記スイッチSW1、SW2は、制御回路44からのスイッチ信号S1、S2によりオン／オフ制御される。上記A／D変換回路41は、信号処理回路37から送られてくる輝度信号Y及び色差信号R−Y、B−Yをそれぞれデジタルデータに変換し、上記ICカード18に出力する。このICカード18には、A／D変換回路21から送られてくる画像データがメモリ制御回路43の制御に従って順次記憶される。また、上記メモリ制御回路43には、制御回路44から制御信号が与えられると共に、シャッター制御回路34からシャッター信号が与えられる。上記メモリ制御回路43は、撮影モードにおいてシャッター制御回路34からレリーズスイッチ13のON信号が与えられるとICカード18への画像データの書込み制御を行なう。
　一方、メモリ制御回路43は、制御回路44からの制御指令に応じてICカード18の記憶画像を読出し、D／A変換回路45に入力する。上記ICカード18から読出された画像は、D／A変換回路45によりアナログ信号に変換され、信号ラインbを介して表示制御回路48（38の誤記）へ送られる。」（第2頁左上欄第17行〜第3頁左上欄第17行、第1図、第2図参照）
（ロ）「上記制御回路44には、シャッター制御回路34からシャッター信号が与えられると共にキー入力部15が接続される。このキー入力部15には、撮影モード、再生モード、ICカード読出し／書込みモード等の動作モードを指定する動作モード指定キー、動作モードに応じてICカード18あるいはFD17の読出しアドレスを前後させるフォワードキー及びバックキー等の各種操作キーが設けられている。上記制御回路44は、キー入力部15からのキー入力信号、シャッター制御回路34からのシャッター信号に応じてスイッチSW1、SW2をオン／オフ制御すると共に、メモリ制御回路43、表示制御回路38及び他の回路に制御指令を与える。
　しかして、上記のように構成された電子スチルカメラにより写真を撮る場合には、キー入力部15のキー操作により撮影モードを指定する。また、撮影画像をICカード18に記憶させる場合には、ICカード18への書込みモードを指定する。以下、このICカード書込みモードが指定された場合の動作について説明する。制御回路44は、上記撮影モード、ICカード書込みモード等のモード指定に応じて、メモリ制御回路43に制御信号を出力すると共にスイッチSW1、SW2をオフする。更に制御回路44は、表示制御回路38に対し、信号ラインaを選択してファインダ14に出力するように指示する。この状態で撮影者がレリーズスイッチ13に指を軽く触れると、タッチ信号が信号ライン36aを介してシャッター制御回路34へ送られる。シャッター制御回路34は、タッチ信号が送られてくると、スタンバイモードとなり、オートフォーカス機構、EE機構によりピント、露出を決定すると共にシャッター32を1／60秒毎に動作させる。これにより被写体像がレンズ部12及びシャッター32を介して撮像素子33の面に結像され、撮像素子33から投影像に応じた輝度信号Y及び色差信号R−Y、B−Yが出力され、信号ラインaを介して表示制御回路38へ送られる。表示制御回路38は、信号ラインaにより送られてくる信号を制御回路44の指示に従って選択し、ファインダ14に表示する。このファインダ14への表示により撮影者は、被写体の状態を確認することができ、シャッター操作が可能となる。
　そして、撮影者がレリーズスイッチ13を押すと、ON信号が信号ライン36bを介してシャッター制御回路34へ送られる。シャッター制御回路34は、ON信号が与えられると、そのON信号をメモリ制御回路43及び制御回路44に出力する。
　上記制御回路44は、上記シャッターONが与えられると、一定時間例えば1／60秒の間、スイッチSW1、SW2をオンさせる。このスイッチSW1、SW2がオンすることにより、上記レリーズスイッチ13のON時点における信号処理回路37の出力信号、つまり、輝度信号Y及び色差信号R−Y、B−Yが変調回路39及びA／D変換回路41に入力される。」（第3頁右上欄第16行〜第4頁左上欄第10行、第2図参照）
（ハ）「上記A／D変換回路41は、信号処理回路37から送られてくる画像信号をデジタルデータに変換してICカード18に入力する。このときメモリ制御回路43は、シャッター制御回路34からのシャッターON信号に従ってICカード18の書込み制御を行ない、A／D変換回路41から出力される画像情報をICカード18に記憶させる。」（第4頁左上欄第16行〜同頁右上欄第2行、第2図参照）
（ニ）「ICカード18に記憶した画像を確認したい場合には、キー入力部15のキー操作によりICカード18の読出しモードを指定する。このICカード18の読出しモードが指定されると、制御回路44はメモリ制御回路43にICカード18 の読出しを指示すると共に、表示制御回路38に信号ラインbを選択してファインダ14及び液晶表示パネル16に出力するように指示する。メモリ制御回路43は、制御回路44からの指示に基づきICカード18の先頭アドレスに記憶している画像情報を読出し、D／A変換回路45及び信号ラインbを介して表示制御回路38へ出力し、ファインダ14及び液晶表示パネル16に表示する。この状態でキー入力部15のフォワードキーを操作することにより、ICカード18に記憶されている撮影画像がメモリ制御回路43の制御により順次読出され、表示制御回路38を介してファインダ14及び液晶表示パネル16に表示される。これによりICカード18に記憶した画像を確認することができる。」（第4頁右上欄第11行〜同頁左下欄第9行、第2図参照）
（ホ）「また、上記電子スチルカメラでは、レリーズスイッチ13に指を触れた時にシャッター制御により得た画像をファインダ14のみに表示するようにしたが、同時に液晶表示パネル16にも表示するようにしてもよい。」（第7頁右下欄第9〜13行、第2図参照）
　
【３】対比・判断
（対比）
　本願の請求項1に係る発明（以下「本願発明」という。）と前記引用例に記載された発明とを対比すると、引用例における「ICカードの挿入開口(19b)」「メモリ制御回路(43)」及び「光学系(31)、シャッター(32)、シャッター制御回路(34)、信号処理回路(37)等からなるもの」は、それぞれ本願発明における「ICカードの挿入部」「ICカード記録部」及び「電子スチルカメラ」に相当する。また、引用例の「電子スチルカメラ(10)」は、その全体構成から携帯型であり、シャッター制御回路(34)や信号処理回路(37)、メモリ制御回路(43)等を備え、撮影する画像及び撮影されたICカードの記憶画像を表示等するものであるから、本願発明の「携帯型画像入出力装置」に対応するものと認められる。
　したがって、両者は、以下のとおりの一致点及び相違点を有するものである。
（一致点）
「ICカードの挿入部と、該挿入部にセットされたICカードに情報を記録するICカード記録部と、シャッターを備えた電子スチルカメラと、該電子スチルカメラが撮影する画像と前記ICカードの情報とを表示するディスプレイとを備えた携帯型画像入出力装置において、
　前記電子スチルカメラが撮影する画像を前記ディスプレイに表示し、前記シャッターの操作に応答して前記ディスプレイに表示されている画像を前記挿入部にセットされたICカードに記録する携帯型画像入出力装置。」
（相違点）
（i）本願発明にあっては、電子スチルカメラがズーム操作部を備え、撮影する画像をズーム操作部の操作に応じてズーム調整してディスプレイに表示しているのに対して、引用例にあっては、電子スチルカメラがズーム操作部を備えているのか明かでなく、したがって、撮影する画像をズーム操作部の操作に応じてズーム調整してディスプレイに表示していない点。
（ii）本願発明にあっては、電子スチルカメラが撮影中の場合には撮影中を示す表示がディスプレイに表示されるようにプログラムされ、ディスプレイがICカードの画像を入力中の場合にはICカードからの入力による画像であることを示す表示がディスプレイに表示されるようにプログラムされているのに対して、引用例にあっては、このようにプログラムされていない点。
（検討）
　前記相違点について、以下に検討する。
　相違点(i)について、電子スチルカメラにおいてズーム操作部を備えることは従来より周知の技術的事項（必要で有れば、特開昭63-69383号公報、特開平2-179078号公報、特開平2-230875号公報参照）であり、また通常、撮影する画像をズーム操作部の操作に応じてズーム調整し、表示等することも技術常識であるから、上記引用例に記載されたものにおいても、前記周知の技術的事項を参酌して、本願発明のように構成することは当業者が容易になし得ることである。
　相違点(ii)について、本願発明において、前記相違点(ii)に係る「電子スチルカメラが撮影中の場合には撮影中を示す表示がディスプレイに表示されるようにプログラムされ、ディスプレイがICカードの画像を入力中の場合にはICカードからの入力による画像であることを示す表示がディスプレイに表示されるようにプログラムされている」ことの技術的意義は、本願明細書の記載によれば「いずれの画像か区別する」（段落【0011】）というにとどまるものと認められる。
　しかしながら、この種の装置において、表示画面などに表示中の画像が、撮影中のものであるか撮影後のものであるかを区別し識別できるようにすることは、当業者に自明の課題乃至作用効果であり、また、その具体的構成として、カメラ部が撮影（録画）する画像と画像記録部（VTR部）の画像とを表示する画像表示部（EVF部）とを備えた画像入出力装置において、「カメラ部が撮影中の場合には撮影中を示す表示（「REC」、タイムカウンター表示）が画像表示部に表示されるようにプログラムされ、画像表示部が画像記録部の画像を入力中の場合には画像記録部からの入力による画像であることを示す表示（テープカウンター表示）が画像表示部に表示されるようにプログラムされる」構成とすることは、従来より周知（例えば、実願昭63-118181号（実開平2-39231号）のマイクロフイルム参照）であるから、電子スチルカメラの画像表示である上記引用例に記載されたものにおいても、前記周知の技術的事項を参酌して、本願発明のように構成することは当業者が容易になし得ることである。
　また、本願発明により奏する作用効果も、当業者が予測し得る程度のものであって格別のものとは認められない。
　
【４】むすび
　以上のとおりであって、本願の請求項1に係る発明は、上記引用例に記載された発明及び周知の技術的事項に基づいて当業者が容易に発明をすることができたものと認められるから、特許法第29条第2項の規定により特許を受けることができない。
　したがって、本願は、その余の請求項について論及するまでもなく、拒絶すべきものである。
　よって、結論のとおり審決する。